(57)【特許請求の範囲】
【請求項１】
所定の鋸波信号に応じてパラボラ信号を発生してＣＲＴの水平焦点を調整するための装置において、
前記鋸波信号の一周期区間を鋸波信号の下降部分、フライバックパルス信号のポジティブパルスの中央点より前方にある鋸波信号の上昇部分及びフライバックパルス信号のポジティブパルスの中央点より後方にある鋸波信号の上昇部分に区分し、前記各部分に同期した第１、第２及び第３選択信号を発生する選択信号発生手段と、
前記第１、第２又は第３選択信号による選択によって前記鋸波信号をスイッチング制御して前記フライバックパルス信号に同期したパラボラ信号を発生するためのパラボラ信号発生手段とを含むことを特徴とするＣＲＴ用水平焦点調整装置。
【請求項２】
前記選択信号発生手段は、鋸波信号の下降部分に同期したパルス信号を発生するための信号発生器と、
鋸波信号と該鋸波信号の所定位置に該当するスレショルド電圧とを比較した結果信号を出力するための比較器と、
前記比較信号及び前記パルス信号を入力として、これら信号を論理ＮＯＲして出力するための第１ＮＯＲゲートと、
前記第１ＮＯＲゲートの出力信号及び前記パルス信号を入力として、これら信号を論理ＮＯＲして出力するための第２ＮＯＲゲートとを具備して、
前記パルス信号を第１選択信号として、前記第１ＮＯＲゲートの出力信号を第２選択信号として、そして前記第２ＮＯＲゲートの出力信号を第３選択信号として発生することを特徴とする請求項１に記載のＣＲＴ用水平焦点調整装置。
【請求項３】
前記パラボラ信号発生手段は、直流オフセット調整のための基準電圧を発生するための基準電圧発生手段と、
前記第１選択信号に応じて選択された区間の間、鋸波信号を単位利得で増幅する第１増幅手段と、
前記第２選択信号に応じて選択された区間の間、前記基準電圧及び前記鋸波信号を入力することによって鋸波信号の直流オフセットを調整した後、単位利得で反転増幅する第２増幅手段と、
前記第３選択信号によって選択された区間の間、前記基準及び前記鋸波信号を入力することによって鋸波信号の直流オフセットを調整した後、単位利得で反転増幅する第３増幅手段と、
前記第１、第２又は第３選択信号に応じて各々出力される第１、第２又は第３増幅手段の出力を入力することによって、前記第１選択信号がオンされる区間の間は鋸波信号の上昇区間対下降区間の比率による利得で、その他の区間は単位利得で反転増幅して出力するための第４増幅手段と、
前記第４増幅手段の出力を反転させるための反転手段と、
前記第４増幅手段の出力信号に前記反転手段の出力信号を掛けてパラボラ信号を発生する乗算手段とを含むことを特徴とする請求項１及び２のいずれか一項に記載のＣＲＴ用水平焦点調整装置。
【発明の詳細な説明】
【０００１】
【発明の属する技術分野】
本発明はコンピュータやＴＶなどのＣＲＴ（ｃａｔｈｏｄｅ−ｒａｙ  ｔｕｂｅ）画面から発生する歪曲を補償するための水平焦点（Ｈ−ＦＯＣＵＳ）調整装置に係り、特に水平パラボラ信号とフライバックパルス（Ｆｌｙｂａｃｋ  Ｐｕｌｓｅ：ＦＢＰ）信号の位相とを一致させ得る水平焦点調整装置に関する。
【０００２】
【従来の技術】
水平焦点調整とは、ＣＲＴ画面上の曲面に対応するパラボラ信号を生成し、これと水平走査信号を合わせて出力することによってＣＲＴ画面の歪曲を補償することを言う。このような水平焦点調整のためにはフライバックパルス信号と同期した水平パラボラ信号が必要とされる。ＣＲＴの水平部分は垂直部分より動作周波数が高いためパラボラ信号の出力利得及び位相が殆ど変わってはならない。さらに、ＣＲＴがマルチ同期方式で動作するので全ての水平同期信号周波数に対しても前述したような条件を満足すべきである。しかし、従来は入力される同期信号周波数によってパラボラ信号の出力利得及び／又は位相が変わる問題があった。
【０００３】
【発明が解決しようとする課題】
本発明の目的はＣＲＴで水平焦点を調整するために所定の選択信号を発生させることによってパラボラ出力信号とフライバックパルス信号の位相とを一致させ得る水平焦点調整装置を提供することにある。
【０００４】
【課題を解決するための手段】
前記の目的を達成するために本発明によるＣＲＴ用水平焦点調整装置は、所定の鋸波信号に応じてパラボラ信号を発生してＣＲＴの水平焦点を調整するための装置において、前記鋸波信号の一周期区間を鋸波信号の下降部分、フライバックパルス信号のポジティブパルスの中央点より前方にある鋸波信号の上昇部分及びフライバックパルス信号のポジティブパルスの中央点より後方にある鋸波信号の上昇部分に区分し、前記各部分に同期した第１、第２及び第３選択信号を発生する選択信号発生手段と、前記第１、第２又は第３選択信号による選択によって前記鋸波信号をスイッチング制御して前記フライバックパルス信号に同期したパラボラ信号を発生するためのパラボラ信号発生手段とを含むことを特徴とする。
【０００５】
【発明の実施の形態】
以下、添付した図面に基づき本発明の好ましい実施例を詳細に説明する。
【０００６】
図１は本発明によるＣＲＴ用水平焦点調整装置を示すブロック図である。図１に示したＣＲＴ用水平焦点調整装置は鋸波信号ＳＡＷＴＯＯＴＨ  ＩＮＰＵＴ及び鋸波信号ＳＡＷＴＯＯＴＨ  ＩＮＰＵＴの下降部分に同期したパルス信号ＯＳＣ  ＩＮＰＵＴを入力して、鋸波信号ＳＡＷＴＯＯＴＨ  ＩＮＰＵＴの一周期区間を鋸波信号の下降部分、フライバックパルスＦＢＰ  信号のポジティブパルスの中央点より前方にある鋸波信号の上昇部分及びＦＢＰ信号のポジティブパルスの中央点より後方にある鋸波信号の上昇部分に区分し、各部分に同期した第１、第２及び第３選択信号ＳＥＬＥＣＴ１，ＳＥＬＥＣＴ２，ＳＥＬＥＣＴ３を発生する選択信号発生部１及び第１、第２又は第３選択信号ＳＥＬＥＣＴ１，ＳＥＬＥＣＴ２，ＳＥＬＥＣＴ３による選択によって鋸波信号ＳＡＷＴＯＯＴＨ  ＩＮＰＵＴをスイッチング制御してＦＢＰ信号に同期したパラボラ信号ＰＡＲＡＢＯＬＡ  ＯＵＴＰＵＴを発生するパラボラ信号発生部２を具備している。これに対する詳細な動作説明は図２、図３Ａ〜図４Ｅ、図５及び図６Ａ〜図７Ｅに基づいて説明する。
【０００７】
図２に選択信号発生部１の回路図を示した。そして、図３Ａ乃至図４Ｅは図２に示した選択信号発生部の入力信号及び出力信号の関係を示した図である。図３Ａは鋸波信号ＳＡＷＴＯＯＴＨ  ＩＮＰＵＴ及びＦＢＰ信号、図３Ｂは第１選択信号ＳＥＬＥＣＴ１、図４Ｃは比較器出力信号、図４Ｄは第２選択信号ＳＥＬＥＣＴ２、そして図４Ｅは第３選択信号ＳＥＬＥＣＴ３の波形を示す。
【０００８】
比較器１１は鋸波信号とその０．３７５Ｔの位置に該当するスレショルド電圧Ｒｅｆとを比較した結果信号を出力する。第１ＮＯＲゲート１２は比較器１１の出力信号及び鋸波信号の下降部分に同期したパルス信号ＯＳＣ  ＩＮＰＵＴを論理ＮＯＲして出力する。第２ＮＯＲゲート１３は第１ＮＯＲゲート１２の出力及び鋸波信号ＳＡＷＴＯＯＴＨ  ＩＮＰＵＴの下降部分に同期したパルス信号ＯＳＣ  ＩＮＰＵＴ信号を論理ＮＯＲして出力する。これによって、選択信号発生部１は第１選択信号ＳＥＬＥＣＴ１として鋸波信号ＳＡＷＴＯＯＴＨ  ＩＮＰＵＴの下降部分に同期したパルス信号ＯＳＣ  ＩＮＰＵＴを、第２選択区信号ＳＥＬＥＣＴ２として第１ＮＯＲゲート１２の出力信号を、そして第３選択信号ＳＥＬＥＣＴ３として第２ＮＯＲゲート１３の出力信号を出力する。
【０００９】
図５にパラボラ信号発生部２の回路図を示した。そして、図６Ａ乃至図７Ｅは図５に示したパラボラ信号発生部の入力信号及び出力信号の関係を示した図であって、図６Ａは鋸波信号ＳＡＷＴＯＯＴＨ  ＩＮＰＵＴ、図６Ｂは第４アンプ出力信号、図６Ｃは第４アンプ出力信号の反転信号、図７Ｄはパラボラ出力信号ＰＡＲＡＢＯＬＡ  ＯＵＴＰＵＴ、そして図７ＥはＦＢＰ信号の波形を示す。
【００１０】
基準電圧発生部（図示せず）は直流オフセット調整のための基準電圧Ｒｅｆを発生する。第１アンプ３１は鋸波信号を単位利得で増幅し、第１スイッチ３４は第１選択信号ＳＥＬＥＣＴ１によって選択された区間の間、第１アンプ３１の出力を第４アンプ３７に出力する。第２アンプ３２は基準電圧Ｒｅｆ及び鋸波信号ＳＡＷＴＯＯＴＨ  ＩＮＰＵＴが入力されて鋸波信号ＳＡＷＴＯＯＴＨ  ＩＮＰＵＴの直流オフセットを調整して単位利得で反転増幅し、第２スイッチ３５は第２選択信号ＳＥＬＥＣＴ２によって選択された区間の間、第２アンプ３２の出力を第４アンプ３７に出力する。第３アンプ３３は基準電圧Ｒｅｆ及び鋸波信号ＳＡＷＴＯＯＴＨ  ＩＮＰＵＴが入力されて鋸波信号ＳＡＷＴＯＯＴＨ  ＩＮＰＵＴの直流オフセットを調整して単位利得で反転増幅し、第３スイッチ３６は第３選択信号ＳＥＬＥＣＴ３によって選択された区間の間、第３アンプ３３の出力を第４アンプ３７に出力する。第４アンプ３７は第１、第２又は第３選択信号（ＳＥＬＥＣＴ１，ＳＥＬＥＣＴ２又はＳＥＬＥＣＴ３）に応じて各々出力される第１、第２又は第３スイッチ（３４，３５又は３６）の出力信号が入力されて、第１選択信号ＳＥＬＥＣＴ１がオンされる区間の間は鋸波信号ＳＡＷＴＯＯＴＨ  ＩＮＰＵＴの上昇区間対下降区間の比率による利得で、その他の区間は単位利得で反転増幅して出力する。インバータ３８は第４アンプ３７の出力信号を反転して出力する。乗算器３９は第４アンプ３７の出力信号にインバータ３８の出力信号を掛けて、望むパラボラ信号ＰＡＲＡＢＯＬＡ  ＯＵＴＰＵＴを発生する。ここで、参照符号Ｒ１〜Ｒ８は抵抗を、Ｃ１はキャパシタを示す。
【００１１】
図６Ａ及び図６Ｂを参照すれば、一定の上昇及び下降部分を有する鋸波信号が選択信号によるスイッチングによって下降区間のない鋸波信号を生成する。これによって、図７Ｄ及び図７Ｅに示したように、ＦＢＰ信号と位相が一致し、歪曲のないパラボラ信号を生成し得る。
【００１２】
【発明の効果】
以上、説明したように、本発明によるＣＲＴ用水平焦点調整装置によれば、所定の鋸波信号の区間を分けてそれに該当する選択信号を生成することによって、下降区間のない鋸波信号を生成した後パラボラ信号を生成し得る。従って、ＦＢＰ信号と位相が一致し、歪曲のないパラボラ信号を生成してＣＲＴ画面の水平焦点調整に用い得る。
【図面の簡単な説明】
【図１】  本発明によるＣＲＴ用水平焦点調整装置のブロック図である。
【図２】  図１に示した選択信号発生部の回路図である。
【図３】  （Ａ）及び（Ｂ）は図２に示した選択信号発生部の入力信号及び出力信号の関係を示した図である。
【図４】  （Ｃ）乃至（Ｅ）は図２に示した選択信号発生部の入力信号及び出力信号の関係を示した図である。
【図５】  図１に示したパラボラ信号発生部の回路図である。
【図６】  （Ａ）乃至（Ｃ）は図５に示したパラボラ信号発生部の入力信号及び出力信号の関係を示した図である。
【図７】  （Ｄ）乃至（Ｅ）は図５に示したパラボラ信号発生部の入力信号及び出力信号の関係を示した図である。
【符号の説明】
１  選択信号発生部、２  パラボラ信号発生部、３１  第１アンプ、３２  第２アンプ、３３  第３アンプ、３４  第１スイッチ、３５  第２スイッチ、３６  第３スイッチ、３７  第４アンプ、３８  インバータ、３９  乗算器
【図１】
0003831488.tif 000002
【図２】
0003831488.tif 000003
【図３】
0003831488.tif 000004
【図４】
0003831488.tif 000005
【図５】
0003831488.tif 000006
【図６】
0003831488.tif 000007
【図７】
0003831488.tif 000008